(57)【要約】【課題】局部に対して水分が留まりやすく、且つ、局部に対してより少ない刺激で事前洗浄を可能とする。【解決手段】衛生洗浄便座装置は、水を蓄えるタンクと、タンク内の水を加熱して水蒸気を発生させるヒータと、タンク内で発生した水蒸気が便座に着座した人体の局部に到達するよう噴出する噴出部と、を備える。局部（肛門部）への水蒸気の付与によって液化した水滴は、粒が非常に小さいため、流れ落ちにくい。これにより、局部に水分が留まりやすくして、排便時に肛門部に汚物が付着するのを抑制することができる。また、局部（肛門部）への水蒸気の付与は、熱せられた水蒸気の上昇気流のみによって行なわれるため、非常に圧が低く、局部に対する刺激をより少なくすることができる。【選択図】図３
2018178552.tif 000002
【特許請求の範囲】
【請求項１】
水を蓄えるタンクと、前記タンク内の水を加熱して水蒸気を発生させるヒータと、前記タンク内で発生した水蒸気が便座に着座した人体の局部に到達するよう噴出する噴出部と、を有する水蒸気発生ユニットを備える衛生洗浄便座装置。
【請求項２】
請求項１記載の衛生洗浄便座装置であって、
前記噴出部から噴出された水蒸気の到達位置を変更可能である、
衛生洗浄便座装置。
【請求項３】
請求項２記載の衛生洗浄便座装置であって、
前記噴出部の噴出口の開口形状を変化可能な絞り装置と、
前記噴出部から噴出される水蒸気が所望の到達位置に到達するよう前記絞り装置を制御する制御装置と、
を備える衛生洗浄便座装置。
【請求項４】
請求項２記載の衛生洗浄便座装置であって、
前記噴出部により噴出される水蒸気に向けて送風する送風器と、
前記噴出部により噴出される水蒸気が所望の到達位置に到達するよう前記送風器を制御する制御装置と、
を備える衛生洗浄便座装置。
【請求項５】
請求項１ないし４いずれか１項に記載の衛生洗浄便座装置であって、
前記タンクの底部に設けられ、前記ヒータの熱を蓄熱する蓄熱部材と、
前記タンクに給水する給水弁と、
前記蓄熱部材が加熱されるよう前記ヒータを制御してから、前記タンクに給水されるよう前記給水弁を制御する制御装置と、
を備える衛生洗浄便座装置。
【請求項６】
請求項１ないし５いずれか１項に記載の衛生洗浄便座装置であって、
前記便座に着座した人体の局部に向けて洗浄水を噴出可能な局部洗浄ノズルと、
洗浄水を加温する熱交換装置と、
前記熱交換装置を通過した洗浄水を前記局部洗浄ノズルか前記水蒸気発生ユニットかのいずれに供給するかを切り替える切替弁と、
を備える衛生洗浄便座装置。
【発明の詳細な説明】
【技術分野】
【０００１】
本発明は、衛生洗浄便座装置に関する。
【背景技術】
【０００２】
従来、この種の衛生洗浄便座装置としては、便座への使用者の着座が検知されてから排便或いは放尿するまでの間に洗浄ノズルから局部に向けて洗浄水を噴射するものが提案されている（例えば、特許文献１参照）。この衛生洗浄便座装置では、排便等の前に予め局部周辺に水分を付着させることにより、排便時に便と肛門の表皮の摩擦を低減し、排便時における痛みを緩和することができるとしている。
【０００３】
また、人体の局部に向けてミストをスプレー噴霧してミストによる局部洗浄を行なうものも提案されている（例えば、特許文献２参照）。この衛生洗浄便座装置では、通常の洗浄ノズルからのシャワー水流よりも細かい粒状のミストをスプレー噴霧することで、通常のシャワー水流では痛みを感じる痔患者等であっても、快適で優しいミスト洗浄を体感することができるとしている。
【先行技術文献】
【特許文献】
【０００４】
【特許文献１】特開２０００−１４４８４９号公報
【特許文献２】特開２００６−２７４６０３号公報
【発明の概要】
【発明が解決しようとする課題】
【０００５】
しかしながら、特許文献１記載の技術では、通常のシャワー水流により肛門部に洗浄水を噴射するため、痔患者にとって痛みを感じやすい。また、水滴の粒が大きいため、流れ落ちやすく、肛門部に水分が留まりにくい。このため、肛門部が乾燥しやすくなり、汚物が付着しやすくなったり、肛門部の柔軟性が低下したりするおそれがある。一方、特許文献２記載の技術では、通常のシャワー水流に比して肛門部への刺激は弱いものの、重度の痔患者にとっては、弱い刺激でも痛みを感じることも考えられる。
【０００６】
本発明の衛生洗浄便座装置は、局部に対して水分が留まりやすく、且つ、局部に対してより少ない刺激で事前洗浄が可能な衛生洗浄便座装置を提供することを主目的とする。
【課題を解決するための手段】
【０００７】
本発明の衛生洗浄便座装置は、上述の主目的を達成するために以下の手段を採った。
【０００８】
本発明の衛生洗浄便座装置は、水を蓄えるタンクと、前記タンク内の水を加熱して水蒸気を発生させるヒータと、前記タンク内で発生した水蒸気が便座に着座した人体の局部に到達するよう噴出する噴出部と、を有する水蒸気発生ユニットを備えることを要旨とする。
【０００９】
この本発明の衛生洗浄便座装置では、水蒸気を発生させて人体の局部（肛門部）に付与する水蒸気発生ユニットを備える。局部（肛門部）への水蒸気の付与によって液化した水滴は、粒が非常に小さいため、流れ落ちにくい。これにより、局部に水分が留まりやすくして、排便時に肛門部に汚物が付着するのを抑制することができる。また、局部（肛門部）への水蒸気の付与は、熱せられた水蒸気の上昇気流のみによって行なわれるため、非常に圧が低く、局部に対する刺激をより少なくすることができる。
【００１０】
こうした本発明の衛生洗浄便座装置において、前記噴出部から噴出された水蒸気の到達位置を変更可能であるものとしてもよい。こうすれば、使用者の体格や着座位置に拘わらず、発生させた水蒸気を狙いの位置に到達させることができる。この場合、前記噴出部の噴出口の開口形状を変化可能な絞り装置と、前記噴出部から噴出される水蒸気が所望の到達位置に到達するよう前記絞り装置を制御する制御装置と、を備えるものとしてもよいし、前記噴出部により噴出される水蒸気に向けて送風する送風器と、前記噴出部により噴出される水蒸気が所望の到達位置に到達するよう前記送風器を制御する制御装置と、を備えるものとしてもよい。
【００１１】
また、本発明の衛生洗浄便座装置において、前記タンクの底部に設けられ、前記ヒータの熱を蓄熱する蓄熱部材と、前記タンクに給水する給水弁と、前記蓄熱部材が加熱されるよう前記ヒータを制御してから、前記タンクに給水されるよう前記給水弁を制御する制御装置と、を備えるものとしてもよい。こうすれば、水蒸気発生の待ち時間を短縮することができる。
【００１２】
さらに、本発明の衛生洗浄便座装置において、前記便座に着座した人体の局部に向けて洗浄水を噴出可能な局部洗浄ノズルと、洗浄水を加温する熱交換装置と、前記熱交換装置を通過した洗浄水を前記局部洗浄ノズルか前記水蒸気発生ユニットかのいずれに供給するかを切り替える切替弁と、を備えるものとしてもよい。こうすれば、熱交換装置とヒータとを用いて水蒸気を効率良く発生させることができる。
【図面の簡単な説明】
【００１３】
【図１】本実施形態の衛生洗浄便座装置１０と便器１の外観を示す外観図である。
【図２】便座装置本体２０の構成の概略を示す構成図である。
【図３】水蒸気発生ユニット４０の構成の概略を示す構成図である。
【図４】水蒸気発生ユニット４０の動作を示す説明図である。
【図５】水蒸気発生ユニット４０の動作を示す説明図である。
【図６】水蒸気洗浄制御ルーチンの一例を示すフローチャートである。
【図７】他の実施形態の水蒸気発生ユニット１４０の構成の概略を示す説明図である。
【図８】他の実施形態の水蒸気発生ユニット１４０の動作を示す説明図である。
【図９】他の実施形態の水蒸気発生ユニット２４０の構成の概略を示す説明図である。
【発明を実施するための形態】
【００１４】
本発明を実施するための形態について説明する。
【００１５】
図１は、本実施形態の衛生洗浄便座装置１０と便器１の外観を示す外観図であり、図２は、便座装置本体２０の構成の概略を示す構成図である。本実施形態の衛生洗浄便座装置１０は、便器１の上面に設置されて使用され、便座装置本体２０と、便座装置本体２０に対して開閉可能に支持された便座１２と、便座１２と同様に便座装置本体２０に対して開閉可能に支持された便蓋１４と、各種操作が可能な操作パネル１６と、を備える。
【００１６】
操作パネル１６は、例えば、図２に示すように、水蒸気による水滴を局部に付与して局部を事前洗浄するための水蒸気洗浄スイッチ１６ａや、シャワー水流による洗浄水を噴出しておしりを洗浄するためのおしり洗浄スイッチ１６ｂ、ビデとして用いられるビデ洗浄スイッチ１６ｃ、水蒸気洗浄，おしり洗浄およびビデ洗浄の各洗浄位置を調節するための洗浄位置調節スイッチ１６ｄ、おしり洗浄またはビデ洗浄の洗浄強さを調節するための洗浄強さ調節スイッチ１６ｅ、水蒸気洗浄，おしり洗浄またはビデ洗浄を停止させるための停止スイッチ１６ｆなどが設けられている。なお、洗浄位置調節スイッチ１６ｄは、洗浄位置を前へ移動させる前スイッチと、洗浄位置を後へ移動させる後スイッチとを含んで構成される。
【００１７】
便座装置本体２０は、図２に示すように、給水管（水道配管）２に接続された洗浄水流路２４への水の供給を司る止水電磁弁２２と、洗浄水流路２４に設けられた熱交換ユニット２６と、脈動ポンプ３２と切替バルブ３４と複数の局部洗浄ノズル３６，３８と水蒸気発生ユニット４０とを有する洗浄ユニット３０と、装置全体をコントロールする制御装置５０と、を備える。
【００１８】
熱交換ユニット２６は、洗浄水流路２４を流れる水を瞬間的に温水（例えば、３５℃〜４５℃程度の温水）にする温水ヒータ２８を有するいわゆる瞬間式の熱交換器であり、本実施形態では、定格消費電力が１２００Ｗのものが用いられている。
【００１９】
切替バルブ３４は、必要に応じて洗浄の強さを調整する脈動ポンプ３２より下流側の洗浄水流路２４の水を複数の局部洗浄ノズル３６，３８と水蒸気発生ユニット４０のいずれから噴出させるのかを切り替えるものである。複数の局部洗浄ノズル３６，３８は、本実施形態では、おしり洗浄用のノズル３６と、ビデ用のノズル３８と、により構成されている。
【００２０】
図３は、水蒸気発生ユニット４０の構成の概略を示す構成図である。なお、図３の右上部に示す部分図は、噴出部４６の噴出口４６ａを正面から見たときの部分図である。水蒸気発生ユニット４０は、図３に示すように、水を蓄えるタンク４１と、切替バルブ３４に繋がるタンク４１の入口を開閉する給水電磁弁４２と、タンク４１の底部付近に設けられタンク４１に蓄えられた水を沸騰させて水蒸気を発生させる加熱ヒータ４４と、発生した水蒸気を噴出する噴出部４６と、噴出部４６の噴出口４６ａの径を変更する絞り装置４７と、を備える。タンク４１には、熱交換ユニット２６を通過して加温された水（温水）が切替バルブ３４を介して供給されるようになっており、供給された温水を加熱ヒータ４４で加熱することにより温水を素早く沸騰させて水蒸気を発生させる。本実施形態では、タンク４１は、５０〜１００ｍｌ程度の容量のものが用いられ、加熱ヒータ４４は、定格消費電力が１２００Ｗのものが用いられている。ここで、１２００Ｗの加熱ヒータ４４でタンク４１内に供給された５０ｍｌの水（比熱が１Ｋｃａｌ／（Ｋｇ・℃）、密度が１ｋｇ／Ｌ）を加熱する場合、水を４０℃から１００℃まで昇温させるのに要する時間は約１０秒となる。したがって、加熱ヒータ４４による加熱を開始してから約１０秒後に水蒸気を発生させることが可能である。なお、タンク４１の底部には、開閉可能な図示しない排出口が設けられており、水蒸気洗浄が終了すると、排出口を開放することにより、タンク４１内に残存している水を排出できるようになっている。
【００２１】
噴出部４６は、噴出した水蒸気が便座１２に着座した人の局部（肛門部）に到達するように噴出口４６ａの角度が定められている。具体的には、熱せられた水蒸気は空気よりも軽く上方へ移動するため、噴出部４６は、着座した人の局部に向かう方向よりも若干便器１側（水平側）に寝かせた向きに水蒸気が噴出されるように噴出口４６ａの噴出角度が定められている。
【００２２】
絞り装置４７は、噴出部４６の噴出口４６ａと略同じ径の絞り開口４８ａを有する絞り板４８と、絞り板４８の中心から偏心した位置で回転軸４９ａが連結された絞りモータ４９と、を備える。絞り装置４７は、図４（ａ）に示すように、絞り板４８の絞り開口４８ａが噴出部４６の噴出口４６ａとほぼ重なるよう絞りモータ４９により絞り板４８を回転させることで、噴出口４６ａをほぼ全開の状態とする。これにより、タンク４１内で発生した水蒸気は、図４（ｂ）に示すように、比較的遅い噴出速度で噴出部４６から噴出され、噴出方向にあまり進むことなく重力方向の上方へ移動し、やがて到達位置Ｐ１に到達する。また、絞り装置４７は、図５（ａ）に示すように、絞り板４８の絞り開口４８ａ周辺の板面で噴出部４６の噴出口４６ａの一部を塞ぐよう絞りモータ４９により絞り板４８を回転させることで、噴出口４６ａの径を絞る。これにより、タンク４１内で発生した水蒸気は、図５（ｂ）に示すように、比較的速い噴出速度で噴出部４６から噴出され、噴出方向に遠くまで進みながら、重力方向の上方へ移動し、やがて到達位置Ｐ１よりも遠い到達位置Ｐ２に到達する。このように、絞り装置４７により噴出口４６ａの径を変更することにより、水蒸気の噴出速度を変更して、水蒸気の到達位置を変更することができる。
【００２３】
水蒸気発生ユニット４０は、噴出部４６から水蒸気が噴出されると、噴出された水蒸気が重力方向の上方へ移動しながらまわりの空気に触れて冷やされて水滴の混じった湯気となり、やがて便座１２に着座した人の局部（肛門部）に到達して付着する。肛門部に付着する水滴は、非常に小さい水滴（数μ程度）であるため、流れ落ちにくい。このため、水蒸気を排便前に肛門部に付与することで、排便時の汚物の付着を抑制することができ、事前洗浄として優れた効果を発揮する。また、肛門部への水蒸気の付与は、水蒸気の上昇気流のみによるため、圧が小さく、痔患者に対しても痛みを伴わない洗浄が可能である。更に、肛門部に付着する水滴は、加熱ヒータ４４により加熱されているため、殺菌効果が高く、清潔性を保つことができる。加えて、通常のシャワー洗浄（ノズルによる洗浄）では、強い水流によって皮脂も吹き飛ばしてしまい乾燥し易く、汚物が付着したり肛門部の柔軟性が低下したりするおそれがあるのに対して、水蒸気洗浄では、皮脂を保持したたま肛門部への水滴の付与が可能である。また、水蒸気の温熱効果により肛門部の血流促進がなされると共に肛門括約筋のウォームアップがなされ、肛門部の柔軟性向上により排便時の裂肛を抑制することができる。
【００２４】
制御装置５０は、ＣＰＵ５２を中心としたマイクロコンピュータとして構成されており、ＣＰＵ５２の他にＲＯＭ５４やＲＡＭ５６、入出力ポート（図示せず）などを備える。制御装置５０には、操作パネル１６の各スイッチ１６ａ〜１６ｆからのスイッチ信号や便座１２への人の着座を検知する着座センサ１８からの検知信号などが入力ポートを介して入力されている。制御装置５０からは、止水電磁弁２２への駆動信号や温水ヒータ２８への駆動信号、脈動ポンプ３２への駆動信号、切替バルブ３４への駆動信号、加熱ヒータ４４への駆動信号、絞りモータ４９への駆動信号などが出力ポートを介して出力されている。
【００２５】
次に、こうして構成された衛生洗浄便座装置１０の動作、特に、水蒸気洗浄に関する動作について説明する。図６は、水蒸気洗浄制御ルーチンの一例を示すフローチャートである。このルーチンは、着座センサ１８により人の着座が検知されている状態で水蒸気洗浄スイッチ１６ａがオンされたときに実行される。
【００２６】
水蒸気洗浄制御ルーチンが実行されると、制御装置５０のＣＰＵ５２は、まず、温水ヒータ２８をオンする（Ｓ１００）。続いて、切替バルブ３４を駆動して洗浄水流路２４と水蒸気発生ユニット４０のタンク４１とを接続し（Ｓ１１０）、給水電磁弁４２を所定時間開弁して洗浄水流路２４の水を蒸気発生ユニット４０のタンク４１へ供給する（Ｓ１２０）。洗浄水流路２４の水は温水ヒータ２８によって加温されているから、タンク４１には温水が供給される。
【００２７】
タンク４１に温水を供給すると、ＣＰＵ５２は、温水ヒータ２８をオフすると共に（Ｓ１３０）、加熱ヒータ４４をオンする（Ｓ１４０）。これにより、タンク４１に蓄えられている水（温水）は加熱ヒータ４４によって加熱されて水蒸気となり、噴出部４６から水蒸気が噴出されて水蒸気洗浄が開始される。上述したように、タンク４１に５０ｍｌ，４０℃の温水が供給されている場合、１２００Ｗの加熱ヒータ４４で温水を加熱することにより、加熱ヒータ４４をオンしてから約１０秒で水蒸気を発生させることができる。
【００２８】
次に、ＣＰＵ５２は、洗浄位置調節スイッチ１６ｄの前スイッチがオンされたか否かを判定し（Ｓ１５０）、前スイッチがオンされたと判定すると、噴出口４６ａの径が拡大側に変更されるよう絞りモータ４９を駆動制御し（Ｓ１６０）、前スイッチがオンされていないと判定すると、Ｓ１６０の処理をスキップする。また、ＣＰＵ５２は、洗浄位置調節スイッチ１６ｄの後スイッチがオンされたか否かを判定し（Ｓ１７０）、後スイッチがオンされたと判定すると、噴出口４６ａの径が縮小側に変更されるよう絞りモータ４９を駆動制御し（Ｓ１８０）、後スイッチがオンされていないと判定すると、Ｓ１８０の処理をスキップする。そして、停止スイッチ１６ｆがオンされたか否かを判定し（Ｓ１９０）、停止スイッチ１６ｆがオンされたと判定すると、加熱ヒータ４４をオフして（Ｓ２００）、水蒸気洗浄制御ルーチンを終了する。
【００２９】
以上説明した本実施形態の衛生洗浄便座装置１０は、水蒸気を発生させて便座１２に着座した人の局部（肛門部）に付与する水蒸気発生ユニット４０を備える。局部（肛門部）への水蒸気の付与によって液化した水滴は、粒が非常に小さいため、流れ落ちにくい。これにより、局部に水分が留まりやすくして、排便時に肛門部に汚物が付着するのを抑制することができる。また、局部（肛門部）への水蒸気の付与は、当該水蒸気の上昇気流のみによって行なわれるため、非常に圧が低く、局部に対する刺激をより少なくすることができる。なお、衛生洗浄便座装置１０は、排便後の肛門部に水蒸気発生ユニット４０により水蒸気（水滴）を付与することも好適である。即ち、排便後にノズル３６を用いておしり洗浄を行なうと、肛門部に付着した汚物が飛び散り、飛び散った汚れが便座１２の裏側に付着することも考えられる。しかし、水蒸気発生ユニット４０により水蒸気（水滴）を付与する手法によれば、圧が非常に低いため、汚れが飛び散ることなく、おしり洗浄が可能となる。
【００３０】
また、本実施形態の衛生洗浄便座装置１０は、水蒸気の噴出口４６ａの径を変更する絞り装置４７を備える。これにより、水蒸気の噴出速度を変更して、その到達位置を変更することができる。即ち、衛生洗浄便座装置１０は、水蒸気洗浄の際の洗浄位置を所望の位置に変更することができる。
【００３１】
更に、本実施形態の衛生洗浄便座装置１０は、熱交換ユニット２６（温水ヒータ２８）を通過させた温水を水蒸気発生ユニット４０のタンク４１内に供給し、タンク４１内に供給した温水を加熱ヒータ４４で加熱して水蒸気を発生させるから、温水ヒータ２８と加熱ヒータ４４とにより効率良く水蒸気を発生させることができる。
【００３２】
本実施形態では、水蒸気発生ユニット４０は、水蒸気洗浄の洗浄位置を変更するための絞り装置４７を備えるものとした。しかし、図７の他の実施形態に係る水蒸気発生ユニット１４０に示すように、絞り装置４７に代えて、噴出部４６から噴出された水蒸気に向けて送風することにより洗浄位置を変更可能なファン１４７を備えるものとしてもよい。ファン１４７は、噴出部４６の上部に設置されており、便器の後方から前方へ向けて（図中、左から右へ向けて）送風可能となっている。ファン１４７の回転が停止しているときには、噴出部４６から噴出された水蒸気は、図８（ａ）に示すように、噴出方向にあまり進むことなく重力方向の上方へ移動し、やがて到達位置Ｐ１に到達する。一方、ファン１４７が回転しているときには、噴出部４６から噴出された水蒸気は、図８（ｂ）に示すように、ファン１４７からの風に乗って噴出方向の遠くまで進みながら、重力方向の上方へ移動し、やがて到達位置Ｐ１よりも遠い到達位置Ｐ２に到達する。このように、ファン１４７からの送風の有無あるいは風量を変更することにより、水蒸気の到達位置を変更することができる。なお、こうしたファン１４７を備える水蒸気発生ユニット１４０では、ファン１４７の風量を増量することにより、水蒸気に触れる空気の量を多くし、水蒸気の温度を低下させることができる。即ち、ファン１４７の風量を調整することにより、人の局部（肛門部）に付与する水蒸気（水滴）の温度を所望の温度に調節することができる。
【００３３】
本実施形態では、水蒸気発生ユニット４０は、タンク４１に供給された水（温水）を加熱ヒータ４４で直接加熱して水蒸気を発生させるものとしたが、図９の他の実施形態に係る水蒸気発生ユニット２４０に示すように、タンク４１の底部に例えばアルミニウム等の金属で形成された蓄熱材２４５を備え、蓄熱材２４５が加熱されるよう加熱ヒータ４４を駆動制御してから、蓄熱材２４５に水（温水）が供給されるように給水電磁弁４２を駆動制御するものとしてもよい。なお、加熱ヒータ４４による蓄熱材２４５の加熱タイミングとしては、使用者が便座１２に着座したことが着座センサ１８により検出されたタイミングや使用者がトイレに入室したことが図示しない入室検出センサにより検出されたタイミングを例示することができる。このように、蓄熱材２４５をまず加熱し、その後に、水（温水）を蓄熱材２４５に供給することで、水蒸気発生までの待ち時間を短縮させることができる。なお、蓄熱材２４５への水の供給は、蓄熱材２４５に水（温水）が触れると直ちに水蒸気が発生する程度に少しずつ行なうことが望ましい。
【００３４】
本実施形態では、使用者が便座１２に着座したことが着座センサ１８により検出されている状態で水蒸気洗浄スイッチ１６ａがオンされたときに水蒸気洗浄を行なうものとしたが、これに限定されるものではなく、使用者が便座１２に着座したことが着座センサ１８により検出されたことのみを条件に水蒸気洗浄を行なうものとしてもよい。この場合、水蒸気洗浄スイッチ１６ａを省略するものとしてもよい。
【００３５】
また、水蒸気発生ユニット４０に加えて噴霧装置（例えば、超音波式の噴霧装置）を備えるものとし、水蒸気発生ユニット４０から噴出された水蒸気に噴霧装置により噴霧した霧を混合させるものとしてもよい。噴霧装置から噴霧する霧の量を調整することにより、人の局部（肛門部）に付与する水蒸気（水滴）の温度を所望の温度に調節することができる。
【００３６】
実施形態の主要な要素と課題を解決するための手段の欄に記載した発明の主要な要素との対応関係について説明する。実施形態では、タンク４１が「タンク」に相当し、加熱ヒータ４４が「ヒータ」に相当し、噴出部４６が「噴出部」に相当する。また、絞り装置４７が「絞り装置」に相当し、制御装置５０が「制御装置」に相当する。また、ファン１４７が「送風器」に相当する。また、蓄熱材２４７が「蓄熱部材」に相当し、給水電磁弁４２が「給水弁」に相当する。また、局部洗浄ノズル３６，３８が「局部洗浄ノズル」に相当し、熱交換ユニット２６が「熱交換装置」に相当し、切替バルブ３４が「切替弁」に相当する。
【００３７】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３８】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３９】
本発明は、衛生洗浄便座装置の製造産業などに利用可能である。
【符号の説明】
【００４０】
１  便器、２  給水管、１０  衛生洗浄便座装置、１２  便座、１４  便蓋、１６  操作パネル、１６ａ  水蒸気洗浄スイッチ、１６ｂ  おしり洗浄スイッチ、１６ｃ  ビデ洗浄スイッチ、１６ｄ  洗浄位置調節スイッチ、１６ｅ  洗浄強さ調節スイッチ、１６ｆ  停止スイッチ、１８  着座センサ、２０  便座装置本体、２２  止水電磁弁、２４  洗浄水流路、２６  熱交換ユニット、２８  温水ヒータ、３０  洗浄ユニット、３２  脈動ポンプ、３４  切替バルブ、３６，３８  局部洗浄ノズル、４０、１４０，２４０  水蒸気発生ユニット、４１  タンク、４２  給水電磁弁、４４  加熱ヒータ、４６  噴出部、４６ａ  噴出口、４７  絞り装置、４８  絞り板、４８ａ  絞り開口、４９  絞りモータ、４９ａ  回転軸、５０  制御装置、５２  ＣＰＵ、５４  ＲＯＭ、５６  ＲＡＭ、１４７  ファン、２４５  蓄熱材。
【図１】
2018178552.tif 000003
【図２】
2018178552.tif 000004
【図３】
2018178552.tif 000005
【図４】
2018178552.tif 000006
【図５】
2018178552.tif 000007
【図６】
2018178552.tif 000008
【図７】
2018178552.tif 000009
【図８】
2018178552.tif 000010
【図９】
2018178552.tif 000011